(57)【要約】  【課題】既存の陳列具に組み付けることによって種々の陳列態様を可能にする上部ユニット及び陳列用具を提供する。  【解決手段】商品を懸吊支持することの可能な支持部Ｓ２１と、この支持部Ｓ２１の基端側を陳列用什器等の取付対象に取り付けるための取付部とを具備する陳列用具本体Ｓ２の上方に組み付けて使用する上部ユニットＳ１であって、支持部Ｓ２１に沿って延出し先端側に商品等表示をなす表示部３を持ち出すためのユニット本体１と、このユニット本体１の基端側を前記陳列用具本体Ｓ２の取付部Ｓ２２に支持させるための取付ベース２とを別体に設けてなることを特徴とする。  【選択図】図１
2005143850.tif 000002
【特許請求の範囲】
【請求項１】
基端側から先端側に向けて延出しその間に商品を懸吊支持することの可能な支持部と、この支持部の基端側を陳列用什器等の取付対象に取り付けるための取付部とを具備する陳列用具本体の上方に組み付けて使用するものであって、
前記支持部に沿って延出し先端側に商品等表示をなす表示部を持ち出すためのユニット本体と、このユニット本体の基端側を前記陳列用具本体の取付部に支持させるための取付ベースとを別体に設けてなることを特徴とする上部ユニット。
【請求項２】
ユニット本体の基端側を取付ベースに高さ位置変更可能に支持させるようにしている請求項１記載の上部ユニット。
【請求項３】
ユニット本体が、取付状態で略水平な延出部と、この延出部の基端側に起立する脚部とを備え、取付ベースが脚部の高さの異なるユニット本体の当該脚部を同一条件で取り付けることによって延出部を異なる高さ位置に支持し得るものである請求項１記載の上部ユニット。
【請求項４】
ユニット本体の基端側を取付ベースに水平位置変更可能に支持させるようにしている請求項１又は２記載の上部ユニット。
【請求項５】
ユニット本体が、取付状態で略水平な延出部を主体としており、取付ベースが延出部の長さの異なるユニット本体の当該延出部を同一条件で取り付けることによって延出部の先端側を異なる水平位置に支持し得るものである請求項１又は３記載の上部ユニット。
【請求項６】
ユニット本体を上方から落とし込むことによって、その基端側を取付ベースに高さ方向、延出方向及び幅方向の３方向に位置決めした状態で所定位置に係合させるようにしていることを特徴とする請求項３記載の上部ユニット。
【請求項７】
ユニット本体が、延出部及び脚部を交叉させて、その入り隅にリブを設けたものであり、取付ベースが、前記脚部の基端側を嵌合させる嵌合部と、前記リブの下端側を嵌合させる嵌合部とを備えている請求項６記載の上部ユニット。
【請求項８】
ユニット本体を前方から挿入することによって、その基端側を取付ベースに延出方向、高さ方向及び巾方向の３方向に位置決めした状態で所定位置に係合させるようにしていることを特徴とする請求項５記載の上部ユニット。
【請求項９】
基端側から先端側に向けて延出しその間に商品を懸吊支持することの可能な支持部と、この支持部の基端側を陳列用什器等の取付対象に取り付けるための取付部とを具備する陳列用具本体の上方に組み付けて使用するものであって、
基端側を前記陳列用具本体の取付部に支持させ先端側を前記支持部に沿って延出させ得るようにしたユニット本体と、このユニット本体の先端側に配置されて商品等表示をなす表示部材とを別体に設けてなることを特徴とする上部ユニット。
【請求項１０】
表示部材の基端側をユニット本体の先端側に差し込むことによって、表示部材をユニット本体に延出方向、高さ方向及び巾方向の３方向に位置決めした状態で所定位置に係合させるようにしていることを特徴とする請求項９記載の上部ユニット。
【請求項１１】
表示部材の基端側に縦スリットを設け、ユニット本体の先端側に縦壁の上下に横壁を有する横断面Ｈ形状を付与して、前記縦壁を前記縦スリット内に密接に装入し、上下の横壁の間に表示部材の基端側を挟み込んだ状態で取り付けるようにしている請求項１０記載の上部ユニット。
【請求項１２】
表示部材が、ユニット本体の先端側に取り付けられる支持アームと、この支持アームの先端側に回転自在に取り付けられる表示ヘッドとを具備し、表示ヘッドが、表示面を略鉛直に配置する使用位置と、表示面を支持部に沿った商品挿脱領域から退避させる退避位置との間で少なくとも正逆回転自在とされている請求項９〜１１記載の上部ユニット。
【請求項１３】
基端側を陳列用什器等の取付対象に取り付けられ先端側に向けて延出させた支持部に商品を懸吊支持するようにした陳列用具本体と、この陳列用具本体の上方に組み付けられ先端に商品等表示をなす表示部が配される上部ユニットとを具備してなり、支持部の先端と上部ユニットの先端との間に形成される商品挿脱領域の高さ方向のクリアランスを変更可能としていることを特徴とする陳列用具。
【請求項１４】
基端側を陳列用什器等の取付対象に取り付けられ先端側に向けて延出させた支持部に商品を懸吊支持するようにした陳列用具本体と、この陳列用具本体の上方に組み付けられ先端に商品等表示をなす表示部が配される上部ユニットとを具備してなり、支持部の先端と上部ユニットの先端との間に形成される商品挿脱領域の延出方向のオフセット量を変更可能としていることを特徴とする陳列用具。
【請求項１５】
基端側を陳列用什器等の取付対象に取り付けられ先端側に向けて延出させた支持部に商品を懸吊支持するようにした陳列用具本体と、この陳列用具本体の上方に組み付けられ先端に商品等表示をなす表示部が配される上部ユニットとを具備してなり、表示部の表示領域を変更可能としていることを特徴とする陳列用具。
【請求項１６】
上部ユニットのうち、表示部の先端側に位置する表示ヘッド以外の部分の全部又は一部が透明若しくは半透明の素材で構成されている請求項１３〜１５記載の陳列用具。
【発明の詳細な説明】
【技術分野】
【０００１】
本発明は、棚等に商品を効率良く吊り下げて陳列する場合に好適となる上部ユニット及び陳列用具に関するものである。
【背景技術】
【０００２】
従来より、例えば、コンビニエンスストア等のごとき業態の店舗は、限られたスペース内に極力豊富な品揃えを用意する必要がある。このため、棚等の陳列用什器において、所定陳列スペース以外にも、フレーム等を利用して商品の陳列場所を確保するようにしていることが少なくない。
【０００３】
かかる場合に、商品を吊り下げて陳列支持する陳列具が常用される。かかる陳列具は、基端側から先端側に向けて略水平に延出しその間に商品を懸吊支持することの可能な支持部と、この支持部の基端側を棚等の取付対象に取り付けるための取付部とを具備する。そして、商品を梱包したパッケージに形成されている穴を支持部に挿し通し、或いは商品を梱包したパッケージに付帯して設けられているフックを支持部に引っ掛けて、商品を吊り下げた状態で陳列するようにしている。かかる陳列具は、必要に応じて上下複数段に亘って取り付けられることもある。
【０００４】
また、かかる陳列具には、商品名や値段等を表示するために、上方に上部ユニットを付帯して設けることも少なくない。かかる表部ユニットは、例えば特許文献１に示されるように、前記支持部に沿って延出し先端側に商品等表示をなす表示部を配置することの可能なユニット本体と、このユニット本体の基端側を前記陳列用具本体の取付部に支持させる取付ベースとを一体に有しているのが通例である。
【特許文献１】実用新案登録第３０７９６９６号公報
【発明の開示】
【発明が解決しようとする課題】
【０００５】
ところで、この種の店舗では、陳列効率を最大限に追求するために、店舗のいたる所において厳格な寸法管理がなされている。かかる陳列具と上部ユニットの関係においても例外ではなく、陳列具の支持部と上部ユニットのユニット本体との間隙は、間延びすると上下に複数段設ける場合の陳列段数が制約を受けるため、商品の陳列や脱着等を妨げない範囲で可及的に無駄のない寸法が要求される。また、ユニット本体の先端側に設けられる表示部の位置も、ユニット本体が中途半端に長いと商品の着脱の妨げになり、長過ぎると通路歩行の妨げになり、短か過ぎると奥まって見えないといった不都合を生じるため、支持部の先端部からのオフセット量（相対位置）が適切であるような持ち出し量が求められる。さらに、商品の脱着を妨げない範囲で表示部の表示領域に商品等に応じた適切な巾や高さからなる表示領域も求められる。
【０００６】
しかしながら、かかる要求は、取り扱う商品によってまちまちであり、また異種チェーン店間においては勿論のこと同種チェーン店間においても店舗によって異なる。したがって、この種の陳列用具を利用する店舗側は新規オープン時を始めとして商品の入れ替えやレイアウト変更の度ごとに、陳列態様に適したユニット本体の長さ、表示部の大きさ等を有する上部ユニットを新たに発注しなければならず、メーカー側もかかる発注に個別に対応しなければならないという不利不便さがある。
【０００７】
本発明は、このような実情に鑑みてなされたものであって、既存の陳列具を利用しこれに組み付けるだけで種々の陳列態様を可能にする新たな上部ユニット、及びかかる上部ユニットの考え方を採り入れた新規有用な陳列用具を提供することを目的としている。
【課題を解決するための手段】
【０００８】
本発明は、かかる目的を達成するために、次のような手段を講じたものである。
【０００９】
すなわち、本発明の上部ユニットは、基端側から先端側に向けて延出しその間に商品を懸吊支持することの可能な支持部と、この支持部の基端側を陳列用什器等の取付対象に取り付けるための取付部とを具備する陳列用具本体の上方に組み付けて使用するものであって、前記支持部に沿って延出し先端側に商品等表示をなす表示部を持ち出すためのユニット本体と、このユニット本体の基端側を前記陳列用具本体の取付部に支持させるための取付ベースとを別体に設けてなることを特徴とする。
【００１０】
このような上部ユニットであれば、ユニット本体又は取付ベースの少なくとも一方の規格を変更するか、或いはユニット本体の取付ベースへの取付位置を変更する等すれば、上部ユニット全体を取り替えずとも、陳列用具本体とユニット本体とのクリアランスや表示部の陳列用具本体からのオフセット量の調整を行うことが可能となる。
【００１１】
高さ方向に対する具体的な実施の態様としては、ユニット本体の基端側を取付ベースに高さ位置変更可能に支持させるようにしているものが挙げられる。より詳細には、取付ベースの高さ自体が昇降可能であって複数の所定位置に変化させ得るようにしたものや、取付ベースに高さの異なる複数の所定取付位置を設けたもの、或いは、ユニット本体と取付ベースの間にラチェット機構を設けて所定ピッチでユニット本体を高さ方向に送り操作できるようにしたもの等が挙げられる。
【００１２】
或いは、ユニット本体が、取付状態で略水平な延出部と、この延出部の基端側に起立する脚部とを備え、取付ベースが脚部の高さの異なるユニット本体の当該脚部を同一条件で取り付けることによって延出部を異なる高さ位置に支持し得るものであってもよい。ここに同一条件とは、少なくとも脚部の基端側を取付ベースに取り付ける際の取付構造及び取り付け高さに関する条件を合致させることをいう。また、脚部の高さの異なるユニット本体とは、別規格である複数のユニット本体を意味するだけでなく、伸縮可能でその調節長さを異ならせることができるようにした単体のユニット本体も意味する。
【００１３】
延出方向に対する具体的な実施の態様としては、ユニット本体の基端側を取付ベースに水平位置変更可能に支持するようにしているものが挙げられる。より詳細には、取付ベースの水平位置自体が移動可能であって複数の所定位置に変化させ得るようにしたものや、取付ベースに水平位置の異なる複数の所定取付位置を設けたもの、或いは、ユニット本体と取付ベースの間にラチェット機構を設けて所定ピッチでユニット本体を延出方向に送り操作できるようにしたもの等が挙げられる。
【００１４】
或いは、ユニット本体が、取付状態で略水平な延出部を主体としており、取付ベースが延出部の長さの異なるユニット本体の当該延出部を同一条件で取り付けることによって延出部の先端側を異なる水平位置に支持し得るものであってもよい。
【００１５】
ここに同一条件とは、少なくとも延出部の基端側を取付ベースに取り付ける際の取付構造及び延出方向取り付け位置に関する条件を合致させることをいう。また、延出部の長さの異なるユニット本体とは、別規格である複数のユニット本体を意味するだけでなく、伸縮可能でその調節長さを異ならせることができるようにした単体のユニット本体も含まれる。
【００１６】
特に、ユニット本体を取付ベースに高さ方向に同一条件で取り付ける構造を採用する場合には、ユニット本体を上方から落とし込むことによって、その基端側を取付ベースに高さ方向、延出方向及び幅方向の３方向に位置決めした状態で所定位置に係合させるようにしていることが望ましい。
【００１７】
この場合、ユニット本体が、延出部及び脚部を交叉させて、その入り隅にリブを設けたものであり、取付ベースが、前記脚部の基端側を嵌合させる嵌合部と、前記リブの下端側を嵌合させる嵌合部とを備えていることが特に望ましい。
【００１８】
或いは、ユニット本体を取付ベースに延出方向に同一条件で取り付ける構造を採用する場合には、ユニット本体を前方から挿入することによって、その基端側を取付ベースに延出方向、高さ方向及び巾方向の３方向に位置決めした状態で所定位置に係合させるようにしていることが望ましい。
【００１９】
また、本発明の他の構成に係る上部ユニットは、基端側から先端側に向けて延出しその間に商品を懸吊支持することの可能な支持部と、この支持部の基端側を陳列用什器等の取付対象に取り付けるための取付部とを具備する陳列用具本体の上方に組み付けて使用するものであって、基端側を前記陳列用具本体の取付部に支持させ先端側を前記支持部に沿って延出させ得るようにしたユニット本体と、このユニット本体の先端側に配置されて商品等表示をなす表示部材とを別体に設けてなることを特徴とする。
【００２０】
この場合、表示部材とユニット本体との係合を確実なものにするためには、表示部材の基端側をユニット本体の先端側に差し込むことによって、表示部材をユニット本体に延出方向、高さ方向及び巾方向の３方向に位置決めした状態で所定位置に係合させるようにしていることが望ましい。
【００２１】
具体的な実施の態様としては、表示部材の基端側に縦スリットを設け、ユニット本体の先端側に縦壁の上下に横壁を有する横断面Ｈ形状を付与して、前記縦壁を前記縦スリット内に密接に装入し、上下の横壁の間に表示部材の基端側を挟み込んだ状態で取り付けるようにしているものが挙げられる。
【００２２】
表示領域を十分に確保しても商品の出し入れの邪魔にならないようにするためには、表示部材を、ユニット本体の先端側に取り付けられる支持アームと、この支持アームの先端側に回転自在に取り付けられる表示ヘッドとを具備し、表示ヘッドが、表示面を略鉛直に配置する使用位置と、表示面を支持部に沿った商品挿脱領域から退避させる退避位置との間で少なくとも正逆回転自在としておくことが望ましい。
【００２３】
上記のような上部ユニットの考え方を陳列用具全体として見た場合、陳列用具は次のような構成を備えておくことが望ましい。勿論、これらには陳列用具本体と上部ユニットとが不利一体に結合しているような態様のものも含まれる。
【００２４】
１）陳列用具が、基端側を陳列用什器等の取付対象に取り付けられ先端側に向けて延出させた支持部に商品を懸吊支持するようにした陳列用具本体と、この陳列用具本体の上方に組み付けられ先端に商品等表示をなす表示部が配される上部ユニットとを具備し、支持部の先端と上部ユニットの先端との間に形成される商品挿脱領域の高さ方向のクリアランスを変更可能としているもの。
【００２５】
２）陳列用具が、基端側を陳列用什器等の取付対象に取り付けられ先端側に向けて延出させた支持部に商品を懸吊支持するようにした陳列用具本体と、この陳列用具本体の上方に組み付けられ先端に商品等表示をなす表示部が配される上部ユニットとを具備し、支持部の先端と上部ユニットの先端との間に形成される商品挿脱領域の延出方向のオフセット量を変更可能としているもの。
【００２６】
３）陳列用具が、基端側を陳列用什器等の取付対象に取り付けられ先端側に向けて延出させた支持部に商品を懸吊支持するようにした陳列用具本体と、この陳列用具本体の上方に組み付けられ先端に商品等表示をなす表示部が配される上部ユニットとを具備し、表示部の表示領域を変更可能としているもの。
【００２７】
これらの陳列用具において、商品やパッケージに対する視認性を有効に確保するためには、上部ユニットのうち、表示部の先端側に位置する表示ヘッド以外の部分の全部又は一部を透明若しくは半透明の素材で構成して、商品やパッケージに比して極力目立たない状態にしておくことが望ましい。
【発明の効果】
【００２８】
本発明は、以上説明した構成であるから、このような実情に鑑みてなされたものであって、既存の陳列具を利用しこれに組み付けることによって種々の陳列態様を可能にする上部ユニット、ひいては同等乃至それ以上の効果を全体として発揮するようにした陳列用具を新たに提供することが可能となる。
【発明を実施するための最良の形態】
【００２９】
以下、本発明の一実施形態を、図面を参照して説明する。
【００３０】
この実施形態の陳列用具Ｓは、図１に示すように、基端側から先端側に向けて延出しその間に商品Ｐを懸吊支持することの可能な支持部Ｓ２１と、この支持部Ｓ２１の基端側を陳列用什器等の取付対象に取り付けるための取付部Ｓ２２とを具備する陳列用具本体Ｓ２の上方に、上部ユニットＳ１を組み付けることによって構成される。
【００３１】
陳列用具本体Ｓ２の支持部Ｓ２１は、図１及び図２に示すように、スチールやステンレス等からなる丸棒材の一部を折り曲げ加工することによって、少なくとも所定陳列領域に亘り直線状に延びる延出部Ｓ２１１と、この延出部Ｓ２１１の先端側より屈曲する傾斜部Ｓ２１２とを備えている。線材の径は、商品Ｐを吊り下げるためにパッケージに設けられるパンチ孔やフックの形状に対応している。傾斜部Ｓ２１２は、所定取付状態で先端を斜め前上方に配向し、商品の自然脱落を防止する。
【００３２】
取付部Ｓ２２は、取付対象である陳列用什器、例えば棚のフレーム等に嵌合可能な形状を有する板金製のもので、この実施形態では取付対象が角パイプフレームであるため、前記支持部Ｓ２１の基端部を溶接等により略水平に取り付けてなる上壁Ｓ２２ａと、この上壁Ｓ２２ａに連続する前壁Ｓ２２ｂ及び後壁Ｓ２２ｃとを備えたチャネル状をなしている。前壁Ｓ２２ｂは下端に向かうにつれて後壁Ｓ２２ｃ側に傾斜しており、フレームを内部に圧入することによって弾性により前壁Ｓ２２ｂと後壁Ｓ２２ｃの間にフレームを挟持して容易に位置ずれし得ないように当該フレームに取り付くことができるものである。
【００３３】
一方、上部ユニットＳ１は、図１〜図３等に示すように、支持部Ｓ２１に沿って延出するユニット本体１と、このユニット本体１の基端側を前記陳列用具本体Ｓ２の取付部Ｓ２２に支持させるための取付ベース２と、このユニット本体１の先端側に位置して商品等表示をなす表示部３とを具備する。特にこの実施形態は、ユニット本体１、取付ベース２及び表示部３を互いに別体に設け、ユニット本体１と取付ベース２の間、取付ベース２と表示部３の間をそれぞれ着脱可能に接続した点に特徴を有する。また、支持部Ｓ２１の延出部Ｓ２１１とユニット本体１の延出部１１との間の領域は、支持部Ｓ２１に掛けた商品Ｐを挿脱するための商品挿脱領域ｔを形成している。
【００３４】
ユニット本体１は、樹脂成型よりなるもので、延出部１１及び脚部１２が交叉した側面視アングル状をなし、交叉部の入り隅に薄板状のリブ１３を設け、このリブの前下端にテーパ状切欠部１３ａを設けている。図４におけるＡ−Ａ線、Ｂ−Ｂ線、Ｃ−Ｃ線、Ｄ−Ｄ線及びＥ−Ｅ線に沿った横断面は、図５に示されるように、大半の部位が横断面における対向２側面が湾曲した凹面状に抉られた形状（同図（ｃ）参照）や、一側面が湾曲した凹面状に抉られた形状をなすのに対し（同図（ｄ）参照）、基端近傍部は横断面における側面が矩形状に抉られ（同図（ｅ）参照）、縦壁１２１の上下に横壁１２２が連続する横断面Ｈ形状をなしている。この部位を後述する取付ベース２と係り合うための第１係合部１２ａとしている。また、先端近傍部も横断面における側面が矩形状に抉られ（同図（ａ）参照）、縦壁１１１の上下に横壁１１２が連続する横断面Ｈ形状をなしているとともに、その奥方に後述する表示部３に設けた爪が嵌まり込むスリットｓｓを形成している（同図（ｂ）参照）。また、ユニット本体１の先端は、縦壁１１１を一部切除して表示部差込口１１３としている。そして、これらの部位を後述する表示部３と係り合うための第２係合部１１ａとしている。
【００３５】
取付ベース２は、図１〜図３並びに図６、図７等に示すように、上壁２０ａ、前壁２０ｂ及び後壁２０ｃからなるチャネル状のもので、上方から前記取付部Ｓ２２に外嵌させて、当該取付ベース２の上壁２０ａ、前壁２０ｂ及び後壁２０ｃをそれぞれ取付部Ｓ２２の上壁Ｓ２２ａ、前壁Ｓ２２ｂ及び後壁Ｓ２２ｃに重合させ得るものである。上壁２０ａ及び前壁２０ｂには、陳列用具Ｓの支持部Ｓ２１との干渉を避ける位置に逃げとなる凹陥部２１や長孔２２が設けてある。また、上壁Ｓ２０ａから後壁Ｓ２０ｃに亘る部位には、前記ユニット本体１の脚部１２の基端側を嵌合させる第１嵌合部２３ａと、当該ユニット本体１のリブ１３の下端側を嵌合させる第２嵌合部２３ｂとが上方に開口させて設けてある。第１嵌合部２３ａは、脚部１２を比較的緊密に挿入し得る角穴状の内空を有し、かつ底部に前記脚部１２の第１係合部１２ａに係合し得る内方突起２３ｃを形成したものである。また、第２嵌合部２３ｂは、図６に示すように、リブ１３を比較的密接に挿入し得る扁平な内空を有し、前記リブ１３のテーパ状切欠部１３ａに対応する部位にテーパ状突起２３ｄを設けたものである。そして、ユニット本体１の基端側を上方から落とし込み、リブ１３の下端及びテーパ状切欠部１３ａが第２嵌合部２３ｂの底壁２３ｅ及びテーパ状突起２３ｄに当接した位置で、脚部の周辺よりも薄肉な第１係合部１２ａに内方突起２３ｃが係合するとともに、脚部１２及びリブ１３がそれぞれ第１嵌合部２３ａ及び第２嵌合部２３ｂの内面にそれぞれ当接ないし密接に近接するようにしている。したがって、ユニット本体１に何れの方向から外力が作用しても、これに対応する抗力が第１嵌合部２３ａや第２嵌合部２３ｂの内壁等に即座に現われて、ユニット本体１を前後、左右、上下の３方向にガタつきなく支持するものとなる。また、ユニット本体１の後方にあって外部からは見えない取付ベース２の内部によってなされる第１係合部１２ａと内方突起２３ｃとの係合により、外観が良好となる上に、一度嵌合させたら容易には外れ難く、不意に抜けにくいものとなっている。
【００３６】
表示部２は、図１〜図３並びに図６、図７等に示すように、ユニット本体１の先端側にその基端側が接続される支持アーム３２と、この支持アーム３２の先端側に回転自在に取り付けられる表示ヘッド３１とを具備する。支持アーム３２は、樹脂成形よりなるもので、先端側に二股状に分岐したヘッド取付部３２ａを備え、基端側に縦スリット３２１を有する差込部３２ｂが形成されて、この縦スリット３２１の先端側の内面に内向きに係合爪３２１ａが設けられている。図６及び図７（ａ）に示すように、前述したユニット本体１の表示部差込口１１３に支持アーム３２の差込部３２ｂを挿入すると、ユニット本体１の縦壁１１１が支持アーム３２の縦スリット３２１内に密接に装入され、ユニット本体１の上下の横壁１１２の間に支持アーム３２の基端側が挟み込まれて、縦壁１１１の縦スリット３２１への挿入端においてユニット本体１の第２係合部１１ａに支持アーム３２の基端側の係合爪３２１ａが係合した状態が得られる。したがって、支持アーム３２や表示部３に何れの方向から外力が作用しても、これに対応する抗力が縦壁１１１及び上下の横壁１１２等に即座に現われて、表示部３の前後、左右、上下の３方向にガタつきなく支持するものとなる。また、第２係合部１１ａと差込部３２ｂとの係合により表示部３は容易には抜け難いものとなっているとともに、その係合はユニット本体１の内部によっておこなわれ、且つ係合した状態においてユニット本体１と支持アーム３２とは面一となるので、継ぎ目部分が外見上殆ど目立たないものとなっている。これら表示部差込口１１３と差込部３２ｂは、ユニット本体１の先端側の外形寸法内かつ支持アーム３２の基端側の外形寸法内で係合が完了するように構成してあり、確実な連結状態を確保すると同時に接続部分の外面に滑らかな連続性を確保して、商品Ｐやそのパッケージの挿脱時にこれと干渉するような不用意な突起や段差を生じさせないようにしている。
【００３７】
ヘッド取付部３２ａは、図１〜図３等に示すように、分岐端近傍に内向きの軸３２２を突設しており、表示ヘッド３１は表示面３１ａの上縁側の裏面に形成した軸支部３１１が前記軸３２２と嵌合して、図２（ａ）に示すように軸回りにヘッド取付部と干渉することなく３６０度回転することが可能とされている。
【００３８】
このように構成される上部ユニットＳ１は、表示部３の先端側に位置する表示ヘッド３１以外の部分の全部又は一部が透明若しくは半透明の樹脂その他の素材で構成されていることが好ましい。具体的な態様としては、ユニット本体１の延出部１１のみを上記素材で構成したもの、ユニット本体１の延出部１１及び脚部１２を上記素材で構成したもの、ユニット本体１の延出部１１と表示部３の支持アーム３２を上記素材で構成したもの、ユニット本体１の延出部１１及び脚部１２と表示部３の支持アーム３２を上記素材で構成したもの等が挙げられる。表示ヘッド３１は商品等表示をなすために視認性を確保することが要求されるのに対し、他の部位は極力商品Ｐやそのパッケージに対する視認性を優先させるために相対的に目立たなくしておくことが望ましいからである。取付ベース２は奥方にあるためかかる視認性に対する直接的な影響は少ないと考えられるが、この取付ベース２に対しても場合によっては上記素材で構成しておく方が望ましい場合も勿論ある。
【００３９】
ところで、前述したようにこの種の陳列用具Ｓの利用時には、図２に示すように、支持部Ｓ２１の先端側に位置する傾斜部Ｓ２１２の上端とユニット本体１とのクリアランスＣＬや、前記傾斜部Ｓ２１２の前端に対する表示部３のオフセット量δ、表示ヘッド３１の大きさ（Ｗ、Ｄ）などに対して要求される寸法が、陳列用具本体Ｓ２の延出部Ｓ２１１の長さｄや、取り扱う商品Ｐや店舗等によって種々異なる。このような要求に応えるために、本実施形態は、図２のユニット本体１及び表示部３に準ずるものとして、図８に示すユニット本体１０及び表示部３０を選択的に利用可能にしている。図８のユニット本体１０は、図２の上部ユニットＳ１に対して、表示部３０を含めた延出部１１０の長さＬ、ユニット本体１０を構成する脚部１２０の取付ベース２からの持ち出し高さｈ、表示部３０の寸法（巾Ｗ、高さＤ）等がそれぞれ大きくとってあり、何れのユニット本体１、１０も共通の取付ベース２に取り付けられる。これは、図８の陳列用具本体Ｓ２の長さｄが図２のそれよりも大きく、相対的に大きな商品Ｐを扱うようにしている場合等に対応するためで、クリアランスＣＬやオフセットδも若干大きくして、商品Ｐのパッケージに設けられている丸穴やフックを支持部Ｓ２１に挿通し或いは掛止させた状態で商品Ｐを出し入れする際の作業が表示部３０や延出部１１０に妨げられない範囲で無駄のない寸法としたものである。勿論、脚部１２、１２０や延出部１１、１１０の寸法違いをより豊富に用意すれば、持ち出し高さｈひいてはクリアランスＣＬや、オフセット量δに一層のバリエーションをもたせることができ、表示部３、３０の寸法違いを揃えれば表示領域ｓに望みの大きさのものを延出部１１、１１０等の先端側に容易に確保することができる。
【００４０】
以上のように、本実施形態の上部ユニットＳ１は、基端側から先端側に向けて延出しその間に商品Ｐを懸吊支持することの可能な支持部Ｓ２１と、この支持部Ｓ２１の基端側を陳列用什器等の取付対象に取り付けるための取付部Ｓ２２とを具備する陳列用具本体Ｓ２の上方に組み付けて使用するものであって、前記支持部Ｓ２１に沿って延出し先端側に商品等表示をなす表示部３を持ち出すためのユニット本体１と、このユニット本体１の基端側を前記陳列用具本体Ｓ２の取付部Ｓ２２に支持させるための取付ベース２とを別体に設けたものである。
【００４１】
このような上部ユニットＳ１とすることにより、上述した寸法違いのユニット本体１、１０を適宜選択して共通の取付ベース２に取り付けることにより、上部ユニットＳ１全体を取り替えずとも、陳列用具本体Ｓ２とユニット本体１とのクリアランスＣＬや表示部３の陳列用具本体Ｓ２からのオフセット量δの調整を行うことが可能となる。そして、大きさや規格の異なる様々な商品に対応して商品Ｐの取り出しや補充をし易い設定とすることや、店舗の陳列態様の変更等に対しても柔軟に対応することが可能となる。勿論、取付ベース２側に規格違いのものを用意し、ユニット本体を共用しても同様の効果が得られるし、或いは、後述するようにユニット本体１の取付ベース２への取付位置を変更することによってもクリアランスＣＬやオフセッ量δの調整は可能である。
【００４２】
また、上部ユニットＳ１は、ユニット本体１が取付部Ｓ２２の位置より支持部Ｓ２１に沿って延出し、上部ユニットＳ１の形状は、陳列用具本体Ｓ２の形状の延長線上にほぼ収まるように構成されているので、取り付けた状態においては、ユニット本体１及び支持ベース２が目立たず、表示部３のみが際だって表出されるようになる。
【００４３】
詳細には、ユニット本体１が、取付状態で略水平な延出部１１と、この延出部１１の基端側に起立する脚部１２とを備え、取付ベース２が脚部１２の高さの異なるユニット本体１０の当該脚部１２０を前記脚部１２０と同一条件で取り付けることによって延出部１１０を前記延出部１１とは異なる高さ位置に支持し得るものである。同一条件とは、脚部１２の基端側を取付ベース２に取り付ける際の取付構造及び取り付け高さに関する条件が同じという意味である。また、図１１等に基づいて後述するように、同一条件で取り付けても、脚部１２が伸縮可能でその長さを変化させ得るようにした単体のユニット本体を採用すれば、クリアランスＣＬに同様にバリエーションをもたせることができる。
【００４４】
また、ユニット本体１は、取付状態で略水平な延出部１１を主体としており、取付ベース２がユニット本体１の延出部１１とは長さの異なるユニット本体１０の当該延出部１１０を同一条件で取り付けることによって延出部１１０の先端側を前記延出部１１のそれとは異なる水平位置に支持し得るものである。同一条件とは、延出部１１の基端側を取付ベース２に取り付ける際の取付構造及び延出方向取り付け位置に関する条件が同じという意味である。また、図１１等に基づいて後述するように、同一条件で取り付けても、延出部１１が伸縮可能でその長さを変化させ得るようにした単体のユニット本体を採用すれば、オフセット量δに同様のバリエーションをもたせることができる。
【００４５】
特に、ユニット本体１を取付ベース２に高さ方向に同一条件で取り付ける構造を採用すべく、ユニット本体１を構成する脚部１２及びリブ１３を上方から取付ベース２に設けた第１嵌合部２３ａ及び第２嵌合部２３ｂに落とし込むことによって、その基端側に設けた第１係合部１２ａを取付ベース２に高さ方向、延出方向及び幅方向の３方向に位置決めした状態で所定位置に係合させるようにしているので、ユニット本体１の取付ベース２に対する高さ方向、延出方向ないし巾方向の回転力や捻れ力を分散支持して、ユニット本体１と取付ベース２との係合を確実なものにすることができる。特に本実施形態の場合、ユニット本体１が、延出部１１及び脚部１２を交叉させて、その入り隅にリブ１３を設けたものであり、取付ベース２が、前記脚部１２の基端側に位置する第１係合部１２ａを嵌合させる第１嵌合部２３ａと、前記リブ１３の下端側を嵌合させる第２嵌合部２３ｂとを備えているので、特に捻れ力に対する分散支持を好適に行うことを可能としている。このように、リブ１３を設ければ、単にユニット本体の強度が向上するというだけでなく、取付ベース２との嵌合がより広範囲でなされるため、位置決め精度を簡単かつ有効に向上させることができる。また、上部ユニットＳ１は構造上ユニット本体１の先端部分を支持するための力が常に働いているが、リブ１３にテーパ状切欠部１３ａを設け、取付ベース２のテーパ状突起２３ｄと当接することにより、片持ち荷重に対して適切な方向の抗力発生面となり得ているものである。
【００４６】
また、本実施形態に係る上部ユニットＳ１は、基端側から先端側に向けて延出しその間に商品Ｐを懸吊支持することの可能な支持部Ｓ２１と、この支持部Ｓ２１の基端側を陳列用什器等の取付対象に取り付けるための取付部Ｓ２２とを具備する陳列用具本体Ｓ２の上方に組み付けて使用するものであって、基端側を前記陳列用具本体Ｓ２の取付部Ｓ２２に支持させ先端側を前記支持部Ｓ２１に沿って延出させ得るようにしたユニット本体１と、このユニット本体１の先端側に配置されて商品等表示をなす表示部材たる表示部３とを別体に設けてなることを特徴とする。
【００４７】
このような上部ユニットＳ１であれば、表示部３を、表示部３０等へ交換して、幅寸法Ｗや高さ寸法Ｄを変化させれば、上部ユニットＳ１全体を取り替えずとも、表示領域ｓの変更を容易に行って、異なる大きさのラベルに対応することができるのみならず、店舗によって頻繁に行われる商品Ｐの交換や配置換えを行う際や表示部３の形状やサイズを変更する場合においても、上部ユニットＳ１を取り替えるまでもなく表示部３のみを交換するのみでスピーディに対応することが可能である。
【００４８】
この場合、表示部３とユニット本体１との係合を確実なものにするために、表示部３の基端側をユニット本体１の先端側に差し込むことによって、表示部３をユニット本体１に延出方向、高さ方向及び巾方向の３方向に位置決めした状態で所定位置に係合させるようにしているので、前述したユニット本体１を取付ベース２に支持させる態様と同様に、表示部３のユニット本体１に対する延出方向、高さ方向及び巾方向の回転力や捻れ力を分散支持することができる。詳細に説明すると、表示部３の基端側に縦スリット３２１を設け、ユニット本体１の先端側に縦壁１１１の上下に横壁１１２を有する横断面Ｈ形状を付与して、前記縦壁１１１を前記縦スリット３２１内に密接に装入し、上下の横壁１１２の間に表示部３の基端側を挟み込んだ状態で取り付けるようにしていることにより、縦スリット３２１の内面と縦壁１１１との当接によって幅方向の位置決めがなされ、併せて横壁１１２が上下から差込部３２ｂに当接するので上下方向の位置決めがなされ、これらの位置決めを同時に行っている。また、縦スリット３２１の内面に係合爪３２１ａを設けて延出方向への位置決めを行うので、差し込んだ状態を確実に維持することができる。
【００４９】
また、本実施形態は、表示部３を、ユニット本体１の先端側に取り付けられる支持アーム３２と、この支持アーム３２の先端側に回転自在に取り付けられる表示ヘッド３１とを具備し、表示ヘッド３１が、表示面３１ａを略鉛直に配置する使用位置と、表示面３１ａを支持部Ｓ２１に沿った商品挿脱領域ｔから退避させる退避位置との間で少なくとも正逆回転自在としておくようにしているため、表示領域ｓを十分に確保しても商品Ｐの出し入れの邪魔にならないようにしておくことができる。
【００５０】
上記のような上部ユニットＳ１の考え方を陳列用具Ｓ全体として見た場合、本実施形態はに係る上部ユニットＳ１は、図８に示したユニット本体１、１０及び表示部３、３０を採用することにより以下の構成を実現して、理想的な構成を実現するものである。
【００５１】
まず、陳列用具Ｓが、基端側を陳列用什器等の取付対象に取り付けられ先端側に向けて延出させた支持部Ｓ２１に商品Ｐを懸吊支持するようにした陳列用具本体Ｓ２と、この陳列用具本体Ｓ２の上方に組み付けられ先端に商品等表示をなす表示部３が配される上部ユニットＳ１とを具備する事を前提としており、その前提の上で、第１に、支持部Ｓ２１の先端と上部ユニットＳ１の先端との間に形成される商品挿脱領域ｔの高さ方向のクリアランスＣＬを変更可能としており、第２に、支持部Ｓ２１の先端と上部ユニットＳ１の先端との間に形成される商品挿脱領域ｔの延出方向のオフセット量δを変更可能とし、第３に、表示部３の表示領域を変更可能としている。
【００５２】
これらの場合において、上部ユニットＳ１のうち、表示部３の先端側に位置する表示ヘッド３１以外の部分の全部又は一部を透明若しくは半透明の素材で構成して、商品Ｐやそのパッケージに比して極力目立たない状態にしておけば、商品Ｐやそのパッケージに対する視認性を優先的に確保して陳列効果を高めることができる。
【００５３】
ここで、以下に記すような本発明に係る他の実施形態によっても、上述した、陳列用具Ｓ全体としての構成を実現することが可能である。
【００５４】
図９はユニット本体１ａの基端部を延出部１１０ａから直伸させた丸棒とし、支持ベース２ａにおいて部分円筒形状の嵌合部２３０ａを設けた上部ユニットＳ１ａを示している。ユニット本体１ａを前方から嵌合部２３０ａに挿入して嵌合部２３０ａが丸棒に密接することによりユニット本体１ａの位置決めを行うものである。また、ユニット本体１ａを延出方向に適宜スライドさせることにより延出方向の位置調節を行うものである。また、図示していないが延出部１１０ａは直伸した丸棒であるので延出部１１０ａの長さを適宜設定することも可能である。
【００５５】
このような構成とすることにより、図９（ａ）に示したユニット本体１ａを前方から挿入することによって、その基端側を取付ベース２ａに高さ方向及び巾方向に位置決めした状態で所定位置に係合させ、かつユニット本体１ａの基端側を取付ベース２ａに水平位置変更可能に支持させるようにしているため、支持部Ｓ２１の先端と上部ユニットＳ１ａの先端との間に形成される商品挿脱領域ｔの延出方向のオフセット量δを変更可能としている。このような位置決め状態においても、上記と同様、ユニット本体１ａの取付ベース２ａに対する高さ延出方向、高さ方向ないし巾方向の回転力や捻れ力を分散支持して、ユニット本体１ａと取付ベース２ａとの係合を確実なものにすることができる。
【００５６】
また、図９（ｂ）は、ユニット本体１ｂの基端部を延出部１１０ｂより交叉させた脚部１２０ｂに設け、支持ベース２ｂにおいて部分円筒状の嵌合部２３０ｂを設けた上部ユニットＳ１ｂを示している。このものは、嵌合部２３０ｂが図示しない昇降機能を具備することにより、高さ方向の位置調節が可能となっている。また、表示部３ｂをユニット本体１ｂの先端部分に係合可能な別体の部材としており、規格の異なる他の表示部３ｂを採用できるものである。
【００５７】
さらに、図１０（ａ）のように、支持ベース２ｃに波状面ｗを有する嵌合突起２３０ｃを設けるとともにユニット本体１ｃの基端部に嵌合孔１３０ｃを設けた上部ユニットＳ１ｂを用いることができる。このものは嵌合突起２３０ｃに嵌合孔１３０ｃを嵌合させることにより、波状面ｗの各突出箇所において段階的に位置決めすることができる、所謂ラチェットとしての機能を発揮するものである。また、図１０（ｂ）のように、ユニット本体１ｄに波状面ｗを有する嵌合突起１３０ｄを設けるとともに支持ベース２ｄに嵌合孔２３０ｄを設けた上部ユニットＳ１ｄであっても上述した上部ユニットＳ１ｃと同様の機能を発揮させることができる。
【００５８】
また、延出方向に段階的に位置調節が可能なものとして、図１１に示すユニット本体１ｅを挙げることができる。このものは、延出部１１０ｅにおいて結合する２つの部材１１１ｅ及び１１２ｅから構成して延出部１１０ｅを伸縮可能とするものであって、一方の部材１１１ｅに設けられ入口に突起ｘ１を有する嵌合孔ｘに、他方の部材１１２ｅに設けられ表面に波状面ｖを有する挿入部ｙを挿入して、波状面ｖと突起ｘ１とを適宜の部位で係合させることによりラチェット機能を構成して、その長さを段階的に調節することができるものである。勿論、このような構成を脚部について行なってもよい。
【００５９】
なお、各部の具体的な構成は、上述した実施形態のみに限定されるものではなく、本発明の趣旨を逸脱しない範囲で種々変形が可能である。例えば、上記各実施形態において採用した各部の構造は、陳列用具本体と上部ユニットとが不離一体に結合しているような態様のものに採用してもよい。
【図面の簡単な説明】
【００６０】
【図１】本発明の実施形態に係る陳列用具を示す斜視図。
【図２】同実施形態に係る陳列用具を示す３面図。
【図３】同実施形態に係る上部ユニットを示す斜視図。
【図４】同平面図。
【図５】図４の各部位に対応した横断面図。
【図６】同縦断面図。
【図７】図６の各部位に対応した断面図。
【図８】同実施形態の他の利用態様を示す図２に対応した３面図。
【図９】本発明の他の実施形態に係る斜視図。
【図１０】本発明の他の実施形態に係る斜視図。
【図１１】本発明の他の実施形態に係る平面図。
【符号の説明】
【００６１】
１、１０、１ａ、１ｂ、１ｃ、１ｄ、１ｅ…ユニット本体
１１、１１０、１１０ａ、１１０ｂ、１１０ｃ、１１０ｄ、１１０ｅ…延出部
１１１…横壁
１１２…縦壁
１２、１２０、１２０ｂ…脚部
２、２０、２ａ、２ｂ、２ｃ、２ｄ…取付ベース
２３ａ…嵌合部（第１嵌合部）
２３ｂ…嵌合部（第２嵌合部）
２３０ｂ…嵌合部
３、３０、３ｂ…表示部、表示部材（表示部）
３１…表示ヘッド
３１ａ…表示面
３２…支持アーム
３２１…縦スリット
ＣＬ…クリアランス
δ  …オフセット（オフセット量）
Ｓ  …陳列用具
Ｓ１、Ｓ１ａ、Ｓ１ｂ、Ｓ１ｃ、Ｓ１ｄ、Ｓ１ｅ…上部ユニット
Ｓ２…陳列用具本体
Ｓ２１…支持部
Ｓ２２…取付部
Ｐ  …商品
ｓ  …表示領域
【図１】
2005143850.tif 000003
【図２】
2005143850.tif 000004
【図３】
2005143850.tif 000005
【図４】
2005143850.tif 000006
【図５】
2005143850.tif 000007
【図６】
2005143850.tif 000008
【図７】
2005143850.tif 000009
【図８】
2005143850.tif 000010
【図９】
2005143850.tif 000011
【図１０】
2005143850.tif 000012
【図１１】
2005143850.tif 000013